(57)【要約】【課題】表示部による販売の促進効果を向上させることが可能な自動販売機を提供する。【解決手段】自動販売機１は、販売商品に関する展示室（商品サンプル展示室７）が透明な前面パネル７ａの背面側に設けられ、この展示室内に、販売商品に関する情報を表示する吊下げ式の表示部９と、表示部９を吊下げて表示部９を保持する表示部保持部材１０と、を備える自動販売機１であって、表示部９は、前記情報が表示された導光板９１と、導光板９１の一端面に光を入射する光源部９２とを含んで構成される。【選択図】図３
2017079010.tif 000002
【特許請求の範囲】
【請求項１】
販売商品に関する展示室が透明な前面パネルの背面側に設けられ、該展示室内に、前記販売商品に関する情報を表示する吊下げ式の表示部と、該表示部を吊下げて該表示部を保持する表示部保持部材と、を備える自動販売機であって、
前記表示部は、前記情報が表示された導光板と、該導光板の一端面に光を入射する光源部とを含む、自動販売機。
【請求項２】
前記導光板は、その上縁の両端部を上方に延出させてなる延出部と、該延出部に形成され前記表示部保持部材と係合する係合部とを有し、
前記光源部は、前記導光板の上縁のうちの前記延出部の間の端面を前記一端面とし、該一端面と対向して配置される、請求項１に記載の自動販売機。
【請求項３】
前記導光板は、前記延出部を含み軟質樹脂からなる両側部と、該両側部の間に挟まれ前記両側部より硬質の硬質樹脂からなる中間部とを有して一体的に形成されている、請求項２に記載の自動販売機。
【請求項４】
前記導光板は、その周縁のうちの少なくとも前記一端面と対向する端面に、前記一端面から入射された光の少なくとも一部の光路を変更させて、該光を前記前面パネル側に導く光路変更部を有する、請求項１〜３のいずれか一つに記載の自動販売機。
【請求項５】
前記導光板は、前記一端面から入射された光の少なくとも一部を乱反射させて少なくとも前記前面パネル側の面から外方に出射させる光拡散部を含む、請求項１〜４のいずれか一つに記載の自動販売機。
【請求項６】
前記光拡散部は、前記導光板の内部に分散されている、請求項５に記載の自動販売機。
【請求項７】
前記光拡散部は、前記導光板の前記前面パネルとは反対側の面に設けられている、請求項５に記載の自動販売機。
【請求項８】
前記光拡散部は、前記情報を示す文字が印字されると共に、光を拡散可能で、且つ、透明又は半透明な光拡散シート材である、請求項７に記載の自動販売機。
【請求項９】
前記光源部は、ＬＥＤ素子と、該ＬＥＤ素子の基板とを含む、請求項１〜８のいずれか一つに記載の自動販売機。
【請求項１０】
前記基板は、前記一端面の延伸方向に延伸すると共に、前記一端面と対向するように配置され、
前記ＬＥＤ素子は、前記基板の延伸方向に間隔を空けた複数の箇所にそれぞれ配列される、請求項９に記載の自動販売機。
【請求項１１】
複数の前記ＬＥＤ素子のうちの中央側の素子は、その光軸が前記一端面の法線方向と略平行になるように配置され、
複数の前記ＬＥＤ素子のうちの両端側の素子は、その光軸が前記一端面と対向する端面に向かうほど前記中央側のＬＥＤ素子の光軸から離れて傾斜するように配置される、請求項１０に記載の自動販売機。
【請求項１２】
前記光源部は、発光する光の色を変更可能に構成される、請求項９〜１１のいずれか一つに記載の自動販売機。
【請求項１３】
前記導光板の前記一端面を覆うように形成されると共に、遮光性を有する遮光部を更に含む構成とし、
前記光源部は、前記遮光部のうちの前記一端面と対向する部分に固定される、請求項１〜１２のいずれか一つに記載の自動販売機。
【請求項１４】
前記導光板の前記一端面を覆うように形成されると共に、遮光性を有する遮光部を更に含む構成とし、
前記光源部は、前記遮光部のうちの前記導光板と平行な一側面に固定される、請求項１〜１２のいずれか一つに記載の自動販売機。
【請求項１５】
前記展示室は、前記販売商品の商品サンプルを展示し、
前記展示室内に、前記商品サンプルを配置するためのサンプル保持部材を更に含む構成とし、
前記表示部保持部材は、前記前面パネルと前記サンプル保持部材との間に設けられる、請求項１〜１４のいずれか一つに記載の自動販売機。
【請求項１６】
前記展示室は、前記販売商品を展示し、
前記展示室内に、前記販売商品を配置すると共に該販売商品を払い出すための販売商品払出装置と、前記前面パネルと前記販売商品払出装置との間の領域を移動すると共に前記払い出された販売商品を受け入れる受入容器とを更に含む構成とし、
前記表示部保持部材は、前記前面パネルと前記受入容器との間に設けられる、請求項１〜１４のいずれか一つに記載の自動販売機。
【発明の詳細な説明】
【技術分野】
【０００１】
本発明は、販売商品に関する展示室を有する自動販売機に関し、詳しくは、展示室内に販売商品に関する情報を表示する表示部を備えた自動販売機に関する。
【背景技術】
【０００２】
一般的な自動販売機は、例えば、缶入り飲料やペットボトル入り飲料などの容器入り飲料等の販売商品の商品サンプルを展示するための商品サンプル展示室や、上記各種飲料や各種袋に入れられたパンや即席麺等の販売商品自体を展示する販売商品展示室等の、販売商品に関する展示室を有している。この種の自動販売機では、販売の促進を図るため、展示室内に、販売商品のメーカー名やそのロゴマーク等の販売商品に関する情報が予め印字等されてこの情報を表示する板状の表示部を吊下げる場合がある。
【０００３】
この種の自動販売機としては、特許文献１に記載された自動販売機が知られている。特許文献１に記載された自動販売機は、透明な前面パネルの背面側に商品サンプル展示室を有し、前面パネルの上端部にその背面側から取付けられる表示部保持部材を備えている。この表示部保持部材には、透明な表示部（表示板）を係止する一対の係止部が突設形成されている。そして、表示部にはその上縁両端部にそれぞれ貫通孔が形成され、この貫通孔に係止部を引っ掛けることにより、表示部が表示部保持部材に吊下げられている。
【先行技術文献】
【特許文献】
【０００４】
【特許文献１】特開２０１０−４４７４３号公報
【発明の概要】
【発明が解決しようとする課題】
【０００５】
ところで、この種の自動販売機の展示室には、展示室内を照明する照明装置が設けられている。この照明装置は、主に、商品サンプルや販売商品を照明することを目的としているため、展示室内の商品サンプルや販売商品に向けて配光し照明するように最適配置されている。
しかしながら、特許文献１に記載の自動販売機では、単に、板材からなる表示部を前面パネル側に寄せて吊下げているだけであるため、従来と同様の上記照明装置を設けるだけでは、照明装置からの光が透明な表示部を透過等するだけであり、利用者における表示部の視認性に欠けるおそれがある。その結果、特許文献１に記載の自動販売機では、販売の促進効果を十分に発揮できない可能性がある。
【０００６】
そこで、本発明は、このような実状に鑑み、表示部による販売の促進効果を向上させることが可能な自動販売機を提供することを目的とする。
【課題を解決するための手段】
【０００７】
本発明の一側面によると、自動販売機は、販売商品に関する展示室が透明な前面パネルの背面側に設けられ、該展示室内に、前記販売商品に関する情報を表示する吊下げ式の表示部と、該表示部を吊下げて該表示部を保持する表示部保持部材と、を備える自動販売機であって、前記表示部は、前記情報が表示された導光板と、該導光板の一端面に光を入射する光源部とを含んで構成した。
【発明の効果】
【０００８】
本発明によれば、販売商品に関する展示室内に、吊下げ式の表示部と、この表示部を吊下げて保持する表示部保持部材と、を備え、表示部は、情報が表示された導光板と、この導光板の一端面に光を入射する光源部とを含む構成であるため、前記一端面から入射された光を、導光板の少なくとも前記一端面と対向する端面から出射させてこの出射端面を発光させることができる。
これにより、導光板が透明又は半透明であったとしても、導光板の少なくともエッジ部分を発光させることにより、表示部の視認性を高めることができる。その結果、表示部による販売の促進効果を向上させることができる。
【０００９】
このようにして、表示部による販売の促進効果を向上させることが可能な自動販売機を提供することができる。
【図面の簡単な説明】
【００１０】
【図１】本発明の一実施形態における自動販売機の概略正面図である。
【図２】上記実施形態における表示部の吊下げ構造を説明するための自動販売機の部分断面図である。
【図３】図２に示す断面における光源部を含む要部拡大断面図である。
【図４】上記実施形態における表示部の正面図である。
【図５】上記実施形態における表示部の導光板の正面図である。
【図６】上記実施形態における前面パネルの背面側から見た表示部保持部材の要部斜視図である。
【図７】上記表示部保持部材に表示部を吊下げた状態を示す要部斜視図である。
【図８】図７とは別の角度から上記表示部を吊下げた状態を示す要部斜視図である。
【図９】上記表示部保持部材の変形例を示す図である。
【図１０】図６に示す表示部保持部材の一対の開口孔の変形例を示す図である。
【図１１】図９に示す表示部保持部材の一対の開口孔の変形例を示す図である。
【図１２】上記導光板の変形例を示す図である。
【図１３】上記実施形態における光源部及び光源取付け部の変形例を示す図である。
【発明を実施するための形態】
【００１１】
以下、添付図面を参照して本発明の実施形態について説明する。
図１は、本発明の一実施形態による自動販売機１の概略正面図である。図２は図１に示すＡ−Ａ矢視の部分断面図である。
この自動販売機１は、缶入り飲料やペットボトル入り飲料などの容器入り飲料を商品として販売するものである。なお、図示を省略するが、自動販売機１内には、それぞれが同種類の複数の商品を収納する複数の商品収納コラムが配設されている。各商品収納コラムは、自動販売機１内を独立した断熱空間に区画された複数の庫室内に配置されており、自動販売機１内に設けられた冷却／加温機によって庫室ごとに商品の冷却又は加温を行えるように構成されている。また、各商品収納コラムには、収納している商品を一つずつ搬出するための商品搬出機が設けられている。
【００１２】
図１に示すように、自動販売機１の前面（接客面）には、利用者によって金銭が投入される金銭投入口２（紙幣投入口２ａ，硬貨投入口２ｂ）と、投入金銭の金額等を表示するデジタル表示器３と、投入金銭などの返却レバー４と、前記商品搬出機によって搬出された商品を利用者が取り出すための商品取出口５と、つり銭などを返却する硬貨返却口６とが設けられている。また、自動販売機１の前面上部には、前記複数の商品収納コラムに収納されている各販売商品に対応する商品サンプルＳを展示するための商品サンプル展示室７が設けられている。本実施形態において、この商品サンプル展示室７が本発明に係る販売商品に関する「展示室」に相当する。
【００１３】
この展示室としての商品サンプル展示室７は、図１及び図２に示すように、自動販売機１の前面（接客面）上部の開口部に取り付けられた透明な前面パネル７ａの背面側に設けられている。商品サンプル展示室７は、例えば、前面パネル７ａと、天井板（図２参照）と、前面パネル７ａと対向する背面パネル（図示省略）と、天井板と対向する底板（図示省略）と、前面パネル幅方向（正面から見て左右方向）の両側面パネル（図示省略）とによって区画形成されている。この商品サンプル展示室７内には、商品サンプルＳを配置するためのサンプル台８と、販売商品に関する情報を表示する表示部９と、この表示部９を吊下げて表示部９を保持する表示部保持部材１０（図２参照）と、が備えられている。なお、本実施形態において、このサンプル台８が本発明に係る「サンプル保持部材」に相当する。
【００１４】
本実施形態において、サンプル台８は、上下方向に間隔を空けて複数段（ここでは三段）に設けられている。また、各サンプル台８は、例えば、上述した背面パネルに取付けられ、それぞれ前面パネル７ａから同一距離だけ離間して配置されている。
【００１５】
具体的には、各サンプル台８は、全体として前面パネル幅方向に延伸して形成されている。そして、各サンプル台８は、複数の商品サンプルＳが載置される載置部８ａを有し、例えば、薄板鋼板を板金加工等して形成されている。
【００１６】
前記表示部９は、図１〜図５に示すように、販売商品に関する情報を表示する吊下げ式のものであり、例えば、導光板９１と、光源部９２（図３及び図４参照）と、光源取付け部９３とを備える。表示部９は、商品サンプル展示室７内の適宜箇所（図では３箇所）に吊下げられている。
図３は図２に示す断面における光源部９２を含む要部拡大断面図である。図４は表示部９の正面図であり、図５は導光板９１単体の正面図である。
【００１７】
前記導光板９１は、その周縁のうちの一端面から入射される光を適宜導くものであり、例えば、透明又は半透明の適宜厚みの樹脂薄板からなる。この導光板９１には、前記情報が予め表示されている。この販売商品に関する情報とは、例えば、販売商品のメーカー名、ロゴマーク、キャンペーン情報、宣伝情報等である。本実施形態において、この各種情報は、導光板９１の前面に予め印字（プリント）されているものとする。
【００１８】
本実施形態において、導光板９１は、図４及び図５に示すように、例えば、その周縁部のうちの上縁側中央部に上方に開口して切欠き形成される上方切欠き部９１ａと、一対の側方切欠き部９１ｂ，９１ｂと、上方切欠き部９１ａと各側方切欠き部９１ｂとの間に開口形成される一対の長穴部９１ｃ，９１ｃと、導光板９１の上縁の両端部を上方に延出（突出）させてなる延出部９１ｄ，９１ｄとを有している。上記一対の側方切欠き部９１ｂ，９１ｂは、延出部９１ｄ，９１ｄに形成されており、詳しくは、導光板９１の周縁のうちの延出部９１ｄ，９１ｄの側部において、幅方向外方に開口してそれぞれ切欠き形成されている。各延出部９１ｄのうちの側方切欠き部９１ｂの上方の部分が、表示部保持部材１０と係合する係合部９１ｄ１となる。
【００１９】
導光板９１は、より具体的には、例えば、平面視で概略台形状、詳しくは、上方切欠き部９１ａ側を長辺とし、上方切欠き部９１ａとは反対側を短辺とする概略台形状になっている。
また、延出部９１ｄ，９１ｄの各幅Ｌ１は、後述する吊下げ部１１を構成する各一対のスリットの各スリット１０ｂ１の前面パネル幅方向の幅Ｌ４（後述する図６参照）より大きく設定されている。また、導光板９１の厚みは、上記各スリットのスリット幅より小さく設定されている。そして、一対の側方切欠き部９１ｂ，９１ｂの間の距離（内寸）Ｌ２は、上記各一対のスリットの全幅Ｌ５（後述する図６参照）より小さく設定され、導光板９１の上縁の全幅Ｌ３は、上記各一対のスリットの全幅Ｌ５より大きく設定されている。つまり、導光板９１は、Ｌ１＞Ｌ４、Ｌ３＞Ｌ５＞Ｌ２の関係を満たすように形成されている。
【００２０】
また、本実施形態において、導光板９１は、図５に示すように、延出部９１ｄ，９１ｄを含み軟質樹脂からなる両側部９１ｅ，９１ｅと、この両側部９１ｅ，９１ｅの間に挟まれ両側部９１ｅ，９１ｅより硬質の硬質樹脂からなる中間部９１ｆと、を有して一体的に形成されている。つまり、導光板９１は、その幅方向両側部分の硬さと中間部分の硬さとを異ならせて、例えば、二色成形（異材質成形）により一体的に形成されている。これにより、延出部９１ｄ，９１ｄを含む両側部９１ｅ，９１ｅに可撓性を持たせている。また、中間部９１ｆの前面パネル幅方向の幅は、例えば、光源取付け部９３の前面パネル幅方向の幅に略合うように合うように設定されている。
【００２１】
さらに、本実施形態において、導光板９１は、上記一端面から入射された光の少なくとも一部を乱反射させて少なくとも前面パネル７ａ側の面から外方に出射させる光拡散部を含んで構成されている。したがって、導光板９１は面発光可能に構成されている。
本実施形態において、この光拡散部は、導光板９１の内部に分散されている。つまり、光拡散部は、導光板９１内に封入等されている。内部に光拡散部が分散されてなるこの導光板９１は、例えば、拡散導光アクリル板等に用いられる適宜の材料を用いて、上記二色成形された定形の樹脂板を加工して必要とする形状に形成してもよいし、上記二色成形により必要とする形状に成形してもよい。
【００２２】
前記光源部９２は、導光板９１の一端面に光を入射するものである。本実施形態において、光源部９２は、図４に示すように、導光板９１の上縁のうちの一対の延出部９１ｄ，９１ｄの間の端面を上記一端面（つまり、入射端面）とし、この一端面と対向して配置される。
【００２３】
具体的には、光源部９２は、図３に示すように、ＬＥＤ素子９２ａと、このＬＥＤ素子９２ａの基板９２ｂとを含んで構成される。
より具体的には、基板９２ｂは、導光板９１の上記一端面の延伸方向に延伸し、この一端面と対向するように配置されている。ＬＥＤ素子９２ａは、基板９２ｂの延伸方向に間隔を空けた複数の箇所にそれぞれ配列されている。また、ＬＥＤ素子９２ａとしては、例えば、複数の色を発光可能なＬＥＤが用いられる。ＬＥＤ素子９２ａとして、例えば、赤色、緑色及び青色を発光可能ないわゆるマルチチップ方式のフルカラーＬＥＤを採用し、このフルカラーＬＥＤを、図示省略した制御ユニットにより制御して、複数の色を発光可能に構成する。この制御ユニットからの信号は図示省略した信号線を介して基板９２ｂに入力される。本実施形態においては、このように、光源部９２は発光する光の色を変更可能に構成されている。
【００２４】
また、本実施形態では、複数のＬＥＤ素子９２ａのうちの中央側の素子は、その光軸が上記一端面の法線方向と略平行になるように配置され、複数のＬＥＤ素子９２ａのうちの両端側の素子は、その光軸が上記一端面と対向する端面に向かうほど中央側のＬＥＤ素子９２ａの光軸から離れて傾斜するように配置されている。つまり、本実施形態では、各ＬＥＤ素子９２ａは、前面パネル幅方向に一列に配列されており、前面パネル幅方向の中央側のＬＥＤ素子９２ａについては、その光軸が鉛直方向下方に向くように配置され、前面パネル幅方向の両側の適宜個数のＬＥＤ素子９２ａについては、その光軸が幅方向外方に向くように配置されている。
【００２５】
前記光源取付け部９３は、図３及び図４に示すように、光源部９２を導光板９１の上記一端面（入射端面）と対向させつつ導光板９１に固定するための取付け具であり、導光板９１の上記一端面を覆うように形成されると共に、遮光性を有している。
【００２６】
本実施形態においては、光源取付け部９３は、導光板９１の上記一端面側の縁部を挟持する挟持部９３ａと、上記一端面と対向すると共に基板９２ｂが固定される固定部９３ｂとを含み、例えば、開口部を下方に向けた概略Ｕ字状の断面形状を有して前面パネル幅方向に延伸している。光源取付け部９３としては、例えば、アルミニウム製の形材が用いられる。この光源取付け部９３の前面パネル幅方向の幅は、光源部９２を全て覆うように設定されている上、導光板９１の延出部９１ｄ，９１ｄの間の上方切欠き部９１ａの前面パネル幅方向の幅より小さくなるように設定されている。また、挟持部９３ａと導光板９１との間にはスペーサ９４が設けられている。このスペーサ９４はボルト等により適宜挟持部９３ａに取付けられている。光源取付け部９３は、このスペーサ９４を介して導光板９１の上記一端面側の縁部を挟み込むことにより、導光板９１に固定されている。
本実施形態においては、このように、導光板９１の上記一端面を覆うように形成されると共に、遮光性を有する光源取付け部９３を更に含む構成とし、光源部９２は、光源取付け部９３のうちの上記一端面と対向する部分（つまり固定部９３ｂ）に固定される。なお、本実施形態において、上記光源取付け部９３が本発明に係る「遮光部」に相当する。
【００２７】
前記表示部保持部材１０は、表示部９を吊下げてこの表示部９を保持するためのものであり、図６〜図８に示すように、商品サンプル展示室７内にて前面パネル幅方向に延伸してなる。また、表示部保持部材１０は、表示部９を吊下げる吊下げ部１１を有する。この吊下げ部１１は、前面パネル幅方向に離間する複数個所に設けられる。つまり、表示部保持部材１０の前面パネル幅方向に離間する複数個所に、吊下げ部１１が形成されている。
図６は前面パネル７ａの背面に向かって斜め左側上方から見た表示部保持部材１０の要部斜視図である。図７は、表示部保持部材１０に表示部９が吊下げられている状態を図６と同じ角度から見た要部斜視図である。図８は、表示部保持部材１０に表示部９が吊下げられている状態を、図７とは別の角度から見た（詳しくは前面パネル７ａの背面に向かって斜め右側下方から見た）要部斜視図である。
【００２８】
本実施形態において、表示部保持部材１０は、図２に示すように前面パネル７ａとサンプル台８との間に設けられている。
【００２９】
具体的には、表示部保持部材１０は、各サンプル台８に対応して、上下方向に間隔を空けて複数段（ここでは、上、中、下の三段）に設けられている。つまり、表示部保持部材１０は、各サンプル台の商品サンプルＳの上方にそれぞれ設けられている。
【００３０】
各段の表示部保持部材１０は、それぞれ同じものである。上段の表示部保持部材１０は、前面パネル７ａの上部の裏面側に設けられる。そして、中段の表示部保持部材１０は、上段のサンプル台８の前方に設けられる後述する商品選択ボタン１２の裏面側に設けられ、下段の表示部保持部材１０は、中段のサンプル台８の前方に設けられる商品選択ボタン１２の裏面側に設けられ、それぞれ、商品選択ボタン１２を支持する部材としても機能する。この表示部保持部材１０と同じものが、下段のサンプル台８の前方に設けられる商品選択ボタン１２を支持する支持部材として用いられている。
【００３１】
具体的には、各段の表示部保持部材１０は、図６〜図８に示すように、前面パネル７ａに当接すると共に前面パネル幅方向に延伸する前面部１０ａと、前面部１０ａの下端全体から前面部１０ａに対して垂直方向にサンプル台側に延びる板状の下端部１０ｂと、下端部１０ｂのサンプル台側端部全体から上方に延びる板状の背面側端部１０ｃと、を有して形成されている。
また、表示部保持部材１０の下端部１０ｂには、表示部保持部材１０の前面パネル幅方向に離間する複数個所（例えば、３箇所）に、吊下げ部１１が形成されている。
【００３２】
本実施形態において、各吊下げ部１１は、少なくとも下端部１０ｂに設けられる一対の開口孔であって、互いに前面パネル幅方向に所定間隔だけ離間した位置に開口形成される一対の開口孔からなる。
具体的には、吊下げ部１１を構成する各開口孔は、下端部１０ｂにて、それぞれ前面パネル幅方向にスリット状に開口形成されてなる。本実施形態においては、以下において、この一対の開口孔を一対のスリット１０ｂ１，１０ｂ１という。
【００３３】
そして、図６及び図７に示すように、各スリット１０ｂ１の前面パネル幅方向の幅Ｌ４は、延出部９１ｄの幅Ｌ１より小さく設定されている。また、各一対のスリット１０ｂ１，１０ｂ１の全幅Ｌ５は、一対の側方切欠き部９１ｂ，９１ｂの間の距離Ｌ２より大きく、かつ、表示部９の上縁の全幅Ｌ３より小さく（Ｌ３＞Ｌ５＞Ｌ２）設定されている。そして、各スリット１０ｂ１のスリット幅は、表示部９の厚みより大きく設定されている。
【００３４】
図１に戻って、透明な前面パネル７ａの前面（接客面側）には、利用者が購入商品を選択するための商品選択ボタン１２が配設されている。
商品選択ボタン１２は、例えば、前面パネル７ａの前面の各サンプル台８に対応する位置に設けられ、詳しくは、表示部保持部材１０を用いて前面パネル７ａに取付けられる。
【００３５】
次に、表示部９の吊下げ方法について、図１〜図３及び図６〜図８を参照して、説明する。
なお、図１に示すように、例えば、上段のサンプル台８については、その上方の図中右側に表示部９を吊下げるものとし、中段のサンプル台８及び下段のサンプル台８については、図中右側に容器高さの低い商品サンプルＳがまとめて配列されており、この右側の商品サンプルＳの上方に、表示部９を吊下げるものとして説明する。
【００３６】
まず、前面パネル７ａの裏面側から向かって左側の吊下げ部１１を構成する一対のスリット１０ｂ１，１０ｂ１の下方に、表示部９の一対の延出部９１ｄ，９１ｄを位置させる。次に、この状態で、表示部９を上方に押し上げる。この押し上げの際に、各延出部９１ｄのうちの係合部９１ｄ１（図４、図５参照）は、表示部保持部材１０の下端部１０ｂの下面等に当接して変形し、スリット１０ｂ１を抜けたところで、その変形が解消する。その結果、各係合部９１ｄ１が表示部保持部材１０の下端部１０ｂの上面の部分にそれぞれ引っ掛けられる。これにより、表示部９が、吊下げ部（一対のスリット１０ｂ１，１０ｂ１）１１を介して、表示部保持部材１０に吊下げられる。このとき、光源取付け部９３の固定部９３ｂの上面は、図３に示すように、表示部保持部材１０の下端部１０ｂの下面に対向している。したがって、固定部９３ｂ、基板９２ｂ、ＬＥＤ素子９２ａは、表示部保持部材１０の下端部１０ｂと、導光板９１の入射端面（つまり導光板９１の上縁のうちの延出部９１ｄ，９１ｄ間の端面）との間に配置されることになる。
このようにして、複数の一対のスリット１０ｂ１，１０ｂ１のうちの、一の一対のスリット１０ｂ１，１０ｂ１の一方のスリット１０ｂ１に、表示部９の一方の係合部９１ｄ１が係止される共に、この一対のスリット１０ｂ１，１０ｂ１の他方のスリット１０ｂ１に、他方の係合部９１ｄ１が係止される。その結果、表示部９が、各サンプル台８の上方で、且つ、前面パネル７ａの正面側から見て、右側にそれぞれ吊下げられる。
【００３７】
次に、表示部９の作用について説明する。なお、光源部９２から発光する光の色は、販売促進対象の販売商品に応じて、図示を省略した制御ユニットにより適宜設定されているものとする。
【００３８】
まず、光源部９２のＬＥＤ素子９２ａから出射された光は、導光板９１の上縁の端面（入射端面）から導光板９１内に入射される。このとき、導光板９１の入射端面は遮光性の光源取付け部９３によって覆われているため、ＬＥＤ素子９２ａから出射された光は外部へ漏れることなく、入射端面を介して導光板９１内に入射される。
そして、導光板９１内において、入射光の一部は導光板９１の表裏（導光板９１と空気との界面）で全反射を繰り返しながら、入射端面と対向する端面（下端面）に向かって導かれ、この下端面から下方に向かって出射される。これにより、導光板９１の少なくとも下端面が発光する。
また、入射光の一部は、導光板９１内に分散された光拡散部により乱反射されて、導光板９１の表裏面及び幅方向の端面から外方に出射される。これにより、導光板９１が面発光すると共に、導光板９１の幅方向の両端面も発光する。
なお、前面パネル幅方向に複数配列されるＬＥＤ素子９２ａのうちの両側の適宜個数のＬＥＤ素子９２ａから出射される光は、入射端面から入射し、その大半が導光板９１の両側部９１ｅ内に導かれ、この両側部９１ｅの部分を面発光させると共に、幅方向の両端面の発光に寄与する。
【００３９】
かかる本実施形態による自動販売機１によれば、商品サンプル展示室７内に、吊下げ式の表示部９と、この表示部９を吊下げて保持する表示部保持部材１０と、を備え、表示部９は、情報が予め表示された導光板９１と、この導光板９１の一端面に光を入射する光源部９２とを含む構成であるため、この導光板９１の少なくとも上記一端面と対向する端面から光を出射させてこの端面を発光させることができる。
これにより、情報が予め表示された導光板９１が透明又は半透明であったとしても、導光板９１の少なくともエッジ部分を発光させることにより、表示部９の視認性を高めることができる。その結果、表示部９による販売の促進効果を向上させることができる。
このようにして、表示部９による販売の促進効果を向上させることが可能な自動販売機１を提供することができる。
【００４０】
また、本実施形態においては、導光板９１は、その上縁の両端部を上方に延出させてなる延出部９１ｄを有すると共に、この延出部９１ｄに形成され表示部保持部材１０と係合する係合部９１ｄ１を有し、光源部９２は、導光板９１の上縁のうちの延出部９１ｄの間の端面を、光を入射する一端面とし、この一端面と対向して配置される構成である。これにより、導光板９１をその係合部９１ｄ１を介して、表示部保持部材１０に安定して保持すると共に、この両端部（延出部９１ｄ）の間のスペースを利用して、光源部９２をコンパクトに配置することができる。
【００４１】
また、本実施形態においては、導光板９１は、二色成形（異材質成形）等により一体的に形成され、延出部９１ｄ，９１ｄを含む両側部９１ｅ，９１ｅは可撓性を有する構成とした。このように、導光板９１のうちの主に光を導く中間部９１ｆについては、剛性を高めて適切に光を導きつつ、両側部９１ｅについては、可撓性を備えてその延出部９１ｄが容易に撓むように、導光板９１を構成した。これにより、導光板９１の導光性を維持しつつ、簡素な構造で、導光板９１を表示部保持部材１０に容易に吊下げることができる。
【００４２】
また、本実施形態においては、導光板９１は、一端面から入射された光の少なくとも一部を乱反射させて少なくとも前面パネル側の面から外方に出射させる光拡散部を含む構成とした。これにより、導光板９１のエッジ部分の発光に加えて、少なくとも導光板９１の前面パネル側の面を面発光させることができ、より効果的に、表示部９による販売の促進効果を向上させることができる。なお、面発光可能に光拡散部を設ける場合は、導光板９１の周縁のうちの光の入射端面光以外の端面に光遮蔽シート等を貼りつける等して端面からの光の漏洩を防止して、より効果的に面発光させるようにしてもよい。
【００４３】
また、本実施形態においては、上記光拡散部は、導光板９１の内部に分散されているものとした。これにより、導光板９１を容易に面発光させることができる。なお、光拡散部は、これに限らない。例えば、光拡散部は、図示を省略するが、導光板９１の前面パネル７ａとは反対側の面（背面）に設けられてもよい。この場合、光拡散部は、光を拡散可能で、且つ、透明又は半透明な光拡散シート材を導光板９１の背面に貼りつけたり、導光板９１の背面側に重ねて適宜吊下げたりして構成してもよいし、導光板９１の背面自体に凹凸等の加工を適宜施して構成してもよい。
また、本実施形態において、この販売商品に関する各種情報は、導光板９１の前面に予め印字（プリント）されているものとしたが、これに限らず、導光板９１の背面に印字されてもよいし、上記光拡散シート材を導光板９１の背面に貼りつける場合にはその光拡散シート材に印字されてもよい。また、表示部９は、導光板９１と、光源部９２と、光源取付け部９３とを備えて構成されるものとしたが、これに限らず、図示を省略するが、上記各種情報が印字された透明又は半透明の情報表示専用板（シート）をさらに備え、この情報表示専用板を導光板９１の前面又は背面に貼りつけたり、導光板９１の前面側又は背面側に導光板９１と重ねるように適宜吊下げたりして構成してもよい。
【００４４】
また、本実施形態においては、光源部９２は、ＬＥＤ素子９２ａと、その基板９２ｂとを含んで構成されるものとした。これにより、販売の促進に伴う電力消費量を抑制することができる。
さらに、光源部９２は、複数のＬＥＤ素子９２ａを基板上に配列させてなる一次元配列のアレイ状光源を採用した。これにより、薄板状の導光板９１の一端面から光を容易に入射することができる。
【００４５】
また、本実施形態においては、光源部９２は、発光する光の色を変更可能に構成した。これにより、販売を促進したい販売商品の温度等に応じて光源部９２の発光色を適宜設定することができる。例えば、販売の促進対象の商品が温かい飲料である場合は、その商品サンプルＳに対応する表示部９の光源部９２の発光色を暖色系の色（赤や橙等）に設定し、販売促進対象の商品が冷たい飲料である場合は、光源部９２の発光色を寒色系の色（青や水色等）に設定する。その結果、販売の促進効果を、販売促進対象の販売商品の種類等に応じてより高めることができる。
【００４６】
また、本実施形態においては、前面パネル幅方向の両側の適宜個数のＬＥＤ素子９２ａについては、その光軸が幅方向外方に向くように配置されている。これにより、導光板９１の延出部９１ｄ，９１ｄの間に、光源部９２を配置した場合であっても、導光板９１の両側部９１ｅの部分にも光を効率的に導くことができ、その結果、導光板９１の幅方向の両端面を効果的に発光（エッジ発光）させることができる上、両側部９１ｅの部分についても効果的に面発光させることができ、発光面積を容易に増やすことできる。
【００４７】
そして、本実施形態においては、吊下げ部１１は、この表示部保持部材１０の延伸方向に離間する複数個所に設けられる構成であるため、複数の吊下げ部１１の中から一の吊下げ部１１を選択して、その選択した吊下げ部１１を介して表示部保持部材１０に表示部９を吊下げることができる。これにより、表示部９の前面パネル幅方向についての吊下げ位置を変更したい場合は、複数の吊下げ位置に対応して設けられる各吊下げ部１１の中から適切な吊下げ部１１を適宜選択して、表示部９の吊下げ位置を変更することができる。その結果、例えば、販売の促進効果の更なる向上や商品サンプル展示室７内の商品サンプルの視認性低下の抑制等を図ることができる。
【００４８】
また、本実施形態においては、表示部保持部材１０は、前面パネル７ａとサンプル台８との間に設けられる構成とした。これにより、表示部９を商品サンプル展示室７内で前面パネル７ａ側に寄せて配置させ、表示部９の視認性を高めることができる。
【００４９】
また、本実施形態においては、商品選択ボタン１２を設け、その商品選択ボタン１２は表示部保持部材１０を用いて前面パネル７ａに取付けられる構成とした。これにより、商品選択ボタン１２の支持部材と表示部保持部材１０とを共通部品とすることができ、部品点数を削減することができる。
【００５０】
また、本実施形態においては、導光板９１は、一対の長穴部９１ｃ，９１ｃを有する構成とした。これにより、単に、一対の係止部が突設形成されている従来の吊下げ構造の表示部保持部材を有する自動販売機において、その一対の係止部に長穴部９１ｃ，９１ｃを引っ掛けて表示部９を吊下げることができる。つまり、従来の吊下げ構造を有する自動販売機内でも利用可能な表示部９を提供することができ、表示部９に従来の自動販売機へ適用可能に互換性を持たせることができる。
なお、導光板９１は、一対の長穴部９１ｃ，９１ｃを有さなくてもよく、上縁に上方切欠き部９１ａが形成される共に、各延出部９１ｄに側方切欠き部９１ｂが形成されて係合部９１ｄ１を有していればよい。
【００５１】
また、本実施形態では、表示部保持部材１０は、概略Ｌ字状の断面形状を有して形成される場合で説明したが、これに限らず、前面パネル７ａに当接すると共に前面パネル幅方向に延伸する前面部１０ａと、前面部１０ａの下端全体からサンプル台８側に延びる板状の下端部１０ｂとを有して形成されていればよい。表示部保持部材１０は、例えば、図９に示すように、前面パネル７ａに当接すると共に前面パネル幅方向に延伸する前面部１０ａと、前面部１０ａの下端全体から斜め上方にサンプル台側に延びる板状の下端部１０ｂとを有し、概略Ｖ字状の断面形状を有して形成されてもよい。
【００５２】
また、本実施形態では、光源取付け部９３は、開口部を下方に向けて概略Ｕ字状の断面形状を有して形成した場合で説明したが、これに限らず、適宜形状に形成することができる。例えば、図示を省略するが、挟持部９３ａが導光板９１に直接的に当接するように、光源取付け部９３の開口部側の端部を導光板９１の厚みに応じて屈曲させ、概略凸状の断面形状を有して形成してもよい。この場合、スペーサ９４を設ける必要はない。
【００５３】
また、本実施形態では、導光板９１は、薄板状に形成され、その両側部９１ｅについてはさらに可撓性を持たせた場合（つまり、二色成形の場合）で説明したが、これに限らず、可撓性を持たせずに全て硬質の材料で薄板状に形成してもよい。この場合でも、光源取付け部９３により挟持されていない両側部９１ｅは容易に湾曲変形させることができる。したがって、例えば、延出部９１ｄの幅Ｌ１を小さくして係合部９１ｄ１の係合代を小さく設定すれば、係合部９１ｄ１を僅かに湾曲変形させるだけで、係合部９１ｄ１がスリット１０ｂ１内を通過して表示部保持部材１０の下端部１０ｂに引っ掛かる。これにより、表示部９を本実施形態（図６）の表示部保持部材１０や図９に示す表示部保持部材１０に吊下げることができる。
【００５４】
本実施形態では、延出部９１ｄの幅Ｌ１はスリット１０ｂ１の前面パネル幅方向の幅Ｌ４より大きく設定されているものとし、導光板９１は、Ｌ１＞Ｌ４、Ｌ３＞Ｌ５＞Ｌ２の関係を満たすように形成されている場合を一例に挙げて説明したが、これに限らず、図示を省略するが、導光板９１は、Ｌ４＞Ｌ１、Ｌ３＞Ｌ５＞Ｌ２の関係を満たすように形成されていてもよい。
この場合（Ｌ４＞Ｌ１、Ｌ３＞Ｌ５＞Ｌ２）に、前面パネル７ａの裏面側から向かって例えば左側に表示部９を吊下げる方法を、以下に簡単に説明する。例えば、前面パネル７ａの裏面側から向かって左側の吊下げ部１１を構成する一対のスリット１０ｂ１，１０ｂ１のうちの一方に、表示部９の一方の延出部９１ｄを下方から差し込む。その後、表示部９を、左側にスライドさせる。これにより、表示部９の一方の係合部９１ｄ１が表示部保持部材１０の下端部１０ｂの上面の部分に引っ掛けられる。この状態で、導光板９１の両側部９１ｅ，９１ｅのうちの右側の部分にさらに左側に移動させる力を付勢し、他方（右側）のスリット１０ｂ１の下方に他方の延出部９１ｄが位置するまで、導光板９１の両側部９１ｅ，９１ｅを湾曲変形させる。そして、この状態で、他方のスリット１０ｂ１に、他方の延出部９１ｄを下方から差し込む。その後、上記付勢力を解除し、導光板９１の上記湾曲変形を解消させることで、表示部９の他方の係合部９１ｄ１が表示部保持部材１０の下端部１０ｂの上面の部分に引っ掛けられる。これにより、表示部９が吊下げ部（一対のスリット１０ｂ１，１０ｂ１）１１を介して、表示部保持部材１０１に吊下げられる。
なお、後に詳述する一対の開口孔（吊下げ部１１）の変形例（図１０及び図１１）を採用する場合等には、導光板９１は、例えば、数ミリ程度の板厚を有し、容易に変形できない樹脂等の厚板材、又は、板厚は数ミリ未満であるが容易に変形できない材質の樹脂等の薄板を用いることもできる。
【００５５】
また、本実施形態では、図３及び図５に示すように、導光板９１の端面は、表裏面と垂直になるように形成され、出射光は鉛直方向に出射するものとしたが、これに限らない。図示を省略するが、導光板９１は、その周縁のうちの少なくとも入射端面（一端面）と対向する端面に、入射端面から入射された光の少なくとも一部の光路を変更させて、該光を前面パネル側に導く光路変更部を有する構成としてもよい。具体的には、例えば、導光板９１の下端面を、正面側からサンプル台側に近づくほど下方に傾斜するように加工して、この傾斜した下端面（傾斜端面）から光を正面側に向って出射するようにして、光路変更部を構成する。
また、本実施形態では、光源部９２は導光板９１の周縁のうちの上縁側に一端面から光を入射可能に設けた場合で説明したが、これに限らず、幅方向の一端面や、下端面から光を入射するように構成してもよい。
【００５６】
また、本実施形態では、導光板９１に光拡散部を設けて、導光板９１を面発光させる構成としたが、これに限らず、光拡散部は設けなくてもよい。この場合でも、少なくとも導光板９１の入射端面と対向する端面が発光するため、十分に販売の促進効果を高めることができる。光拡散部を設けない場合は、導光板９１の周縁のうちの入射端面以外の適宜の端面を傾斜させる等して上記光路変更部を設けるとよい。
【００５７】
本実施形態、及び、図９に示す変形例では、表示部保持部材１０にそれぞれ設けた吊下げ部１１としての一対の開口孔は、下端部１０ｂに形成され、その各開口孔は、その下端部１０ｂにて、それぞれ、単に、前面パネル幅方向にスリット状に開口形成されてなる一本のスリットであるものして説明したが、これに限らない。
図１０は、図６に示した表示部保持部材１０の一対の開口孔の変形例を示す図であり、図１１は、図９に示した表示部保持部材１０の一対の開口孔の変形例を示す図であり、図１２は、図１０の表示部保持部材１０に厚板状の導光板９１を吊下げた状態を示す要部断面図である。なお、図の簡略化のため、図１０及び図１１においては、左側の吊下げ部１１を構成する一対の開口孔のみを示したが、この左側の吊下げ部１１と同じ構成の吊下げ部１１が、それぞれ中央及び右側にも形成されている。
【００５８】
例えば、概略Ｌ字状の断面形状の表示部保持部材１０を採用する場合は、表示部保持部材１０の各開口孔は、図１０に示すように、下端部１０ｂにて、前面パネル幅方向にスリット状に開口形成されてなるスリット１０ｂ１’と、背面側端部１０ｃにおいてこのスリット１０ｂ１’と連通すると共に前面パネル幅方向にスリット状に開口形成される上方スリット１０ｂ１”とを有して形成されてもよい。つまり、この変形例では、表示部保持部材１０の各開口孔は、下端部１０ｂと背面側端部１０ｃとに跨いで形成されている。
具体的には、上方スリット１０ｂ１”の前面パネル幅方向の幅Ｌ６は、延出部９１ｄの幅Ｌ１より大きく形成され、上方スリット１０ｂ１”の開口高さｈ１は、係合部９１ｄ１の高さｈ２より大きく設定されている。また、一対の上方スリット１０ｂ１”、１０ｂ１”の全幅Ｌ７（つまり、一対の開口孔の全幅）は、表示部９の上縁の全幅Ｌ３より大きく設定されている（Ｌ７＞Ｌ３）。また、スリット１０ｂ１’の前面パネル幅方向の幅Ｌ８は、Ｌ６より小さく且つ、図４及び図５に示す表示部９の側方切欠き部９１ｂの切欠き端部と延出部９１ｄの上方切欠き部側端部との間の距離Ｌ１’より大きく設定されている（つまり、Ｌ６＞Ｌ８＞Ｌ１’）。そして、一対の開口孔は、互いにスリット１０ｂ１’を内側に寄せて形成されている。
この図１０に示す表示部保持部材１０に表示部９を吊下げる場合、吊下げ部１１を構成する一対の開口孔の各上方スリット１０ｂ１”に、その前方から延出部９１ｄの係合部９１ｄ１（図４及び図５参照）を含む部分をそれぞれ差し込む。これにより、各係合部９１ｄ１が表示部保持部材１０の下端部１０ｂの上面の部分にそれぞれ引っ掛けられる。
【００５９】
一方、概略Ｖ字状の断面形状の表示部保持部材１０を採用する場合は、表示部保持部材１０の各開口孔は、図１１に示すように、下端部１０ｂにて、前面パネル幅方向にスリット状に開口形成されてなるスリット１０ｂ１’と、このスリット１０ｂ１’の下方において該スリット１０ｂ１’と連通すると共に前面パネル幅方向にスリット状に開口形成される下方スリット１０ｂ１”とを有して形成されてもよい。
具体的には、スリット１０ｂ１’の前面パネル幅方向の幅Ｌ４は、延出部９１ｄの幅より大きく形成され、下方スリット１０ｂ１”の前面パネル幅方向の幅Ｌ４’は、Ｌ４より小さく且つＬ１’より大きく設定されている（つまり、Ｌ４＞Ｌ４’＞Ｌ１’）。そして、一対の開口孔は、互いに下方スリット１０ｂ１”を内側に寄せて形成されている。また、各一対の開口孔の全幅Ｌ５は、表示部９の上縁の全幅Ｌ３より大きく設定されている（つまり、Ｌ５＞Ｌ３）。
この図１１に示す表示部保持部材１０に表示部９を吊下げる場合、この吊下げ部１１を構成する一対の開口孔の各スリット１０ｂ１’に、係合部９１ｄ１をそれぞれ差し込む。その後、表示部９を、下方に移動させる。各係合部９１ｄ１が表示部保持部材１０の下端部１０ｂの内側の面にそれぞれ引っ掛けられる。
このようにして、図１０及び図１１に示した変形例では、表示部９を、その導光板９１を変形させることなく、吊下げ部１１を介して、表示部保持部材１０に吊下げることができる。したがって、導光板９１として、単に硬質の薄板状のものや、厚板状のものも採用することができ、例えば、厚板状の導光板９１を採用した場合、図１２に示すように、表示部９を、表示部保持部材１０に吊下げることができる。厚板状の導光板９１の場合は、図１２に示すように、光源取付け部９３と導光板９１の間にはスペーサを設けなくてもよい。
【００６０】
また、一対の開口孔からなる各吊下げ部１１は、上記変形例（図１０及び図１１）に限らず、少なくとも下端部１０ｂに設けられ、互いに前面パネル幅方向に所定間隔だけ離間した位置に開口形成されていればよい。
【００６１】
また、本実施形態においては、サンプル台８は複数段設ける場合で説明したが、これに限らず、サンプル台８は１段であってもよい。
また、本実施形態において、サンプル台８の上に商品サンプルＳを載置するものとしたが、これに限らず、例えば、商品サンプル展示室７を区画する図示省略した背面パネルに金具等を介して商品サンプルＳを固定してもよい。この場合、この背面パネルが本発明に係る「サンプル保持部材」となる。
【００６２】
また、本実施形態において、光源部９２は、光源取付け部９３のうちの上記一端面と対向する部分（つまり固定部９３ｂ）に固定される構成としたが、これに限らず、光源取付け部９３のうちの導光板９１と平行な一側面に固定される構成としてもよい。
具体的には、図１３に示すように、概略Ｕ字状の断面形状を有する光源取付け部９３を、例えば概略Ｌ字状のアングル部９３ｃと平板部９３ｄとにより構成し、アングル部９３ｃのうちの導光板９１と平行な一側面に光源部９２の基板９２ｂを固定すると共に、この基板９２ｂ上に、ＬＥＤ素子９２ａをその光軸が基板９２ｂの基板面と平行になるように取付けて構成する。そして、この場合、導光板９１の上方切欠き部９１ａはＬＥＤ基板９２ｂ上の光源部９２の取付け位置に応じて適宜切欠けばよく、また、図１３に示すように、ＬＥＤ基板９２ｂと導光板９１との間と、ＬＥＤ基板９２ｂと平板部９３ｄとの間と、平板部９３ｄと導光板９１との間に、スペーサ９４をそれぞれ設けるとよい。
【００６３】
以上の説明において、自動販売機１は、販売商品に関する展示室として、商品サンプルＳを展示する商品サンプル展示室７を有する場合で説明したが、展示室はこれに限らない。自動販売機１は、図示を省略するが、例えば、展示室として、販売商品自体を直接展示する販売商品展示室を有するものであってもよい。この場合、自動販売機１は、この販売商品展示室内に、販売商品を配置すると共にこの販売商品を例えば前面パネル側に向って払い出すための販売商品払出装置と、前面パネル７ａと販売商品払出装置との間の領域を移動すると共に販売商品払出装置から払い出された販売商品を受け入れる受入容器とを含んで構成される。
具体的には、販売商品払出装置は、それぞれが同種類の複数の商品を収納する複数の商品収納コラムを備え、各商品収納コラムは、例えば、利用者により選択された販売商品を前面パネル側へ払い出すコンベア等の払出機構を備えて構成されている。上記受入容器は、前面パネル幅方向及び高さ方向に自在移動可能に構成されている。受入容器は、利用者によって購入商品が選択されると、対応する商品収納コラムの前方に移動して待機し、商品収納コラムから払い出された販売商品を受け入れ、その後、この販売商品を商品取出口に搬出する。これにより、利用者は、商品を商品取出口から取り出すことができる。なお、受入容器は、展示室の幅方向に延伸し、展示室の幅と略同じ幅を有してトレイ状に形成されてもよい。この場合、このトレイ状の受入容器は、展示室内で上下方向にのみ移動するように構成されている。
本発明は、このように、展示室に販売商品自体を展示するタイプの自動販売機１にも適用することができる。この場合、この自動販売機１は、販売商品に関する展示室としての販売商品展示室内に、表示部９と、この表示部９を吊下げる吊下げ部１１を有する表示部保持部材１０と、を備え、表示部保持部材１０は、販売商品展示室内にて前面パネル幅方向に延伸してなり、吊下げ部１１は、この表示部保持部材１０の延伸方向に離間する複数個所に設けられる。これにより、表示部９の前面パネル幅方向についての吊下げ位置を変更したい場合は、複数の吊下げ位置に対応して設けられる各吊下げ部１１の中から適切な吊下げ部１１を適宜選択して、表示部９の吊下げ位置を変更することができる。その結果、例えば、販売の促進効果の向上や販売商品展示室内の販売商品の視認性低下の抑制等を図ることができる。
なお、表示部保持部材１０は、前面パネル７ａと受入容器との間に設けるとよい。これにより、表示部９を販売商品展示室内で前面パネル７ａ側に寄せて配置させ、表示部９の視認性を高めることができる。また、販売商品自体を展示するタイプの自動販売機１における表示部保持部材１０及び表示部９としては、商品サンプルＳを展示するタイプの自動販売機１において説明した変形例を適宜適用することができる。
【００６４】
以上、好ましい実施形態及びその変形例を参照して本発明の内容を具体的に説明したが、本発明の基本的技術思想及び教示に基づいて、当業者であれば、さらに、種々の変形態様を採り得ることは自明である。
【符号の説明】
【００６５】
１・・・・・自動販売機
７・・・・・展示室（商品サンプル展示室）
７ａ・・・・前面パネル
８・・・・・サンプル保持部材（サンプル台）
９・・・・・表示部
９１・・・・導光板
９１ｄ・・・延出部
９１ｄ１・・係合部
９１ｅ・・・両側部
９１ｆ・・・中間部
９２・・・・光源部
９２ａ・・・ＬＥＤ素子
９２ｂ・・・基板
９３・・・・遮光部（光源取付け部）
１０・・・・表示部保持部材
Ｓ・・・商品サンプル
【図１】
2017079010.tif 000003
【図２】
2017079010.tif 000004
【図３】
2017079010.tif 000005
【図４】
2017079010.tif 000006
【図５】
2017079010.tif 000007
【図６】
2017079010.tif 000008
【図７】
2017079010.tif 000009
【図８】
2017079010.tif 000010
【図９】
2017079010.tif 000011
【図１０】
2017079010.tif 000012
【図１１】
2017079010.tif 000013
【図１２】
2017079010.tif 000014
【図１３】
2017079010.tif 000015